(57)【要約】  可撓性フックハンガーが、柔軟なバッキングの長尺シートと、接着剤層と、フック要素とを備える。バッキングは、第１の端部と第２の端部とを備え、第１の区域が、第１の端部に隣接して位置し、第２の区域が、第２の端部に隣接して位置し、中央区域が、第１の区域と第２の区域との間に位置する。接着剤層は、バッキングの一方の面に配置される。フック要素は、中央区域に接続される。一実施形態では、柔軟なバッキングは、微細構造テープを備え、接着剤層は、１つ以上の炭化水素ブロックコポリマーを備える感圧接着剤組成物と、極性フェノール粘着付与剤とを備える。別の実施形態では、第１の区域及び第２の区域のうちの少なくとも１つは、剥離防止部を含む。例えば、第１の区域及び第２の区域は、それぞれ、第１の幅及び第２の幅を有し、中央区域は、第１の幅及び第２の幅のうちの少なくとも１つよりも小さい第３の幅を有する。
2019503261.tif 000002
【特許請求の範囲】
【請求項１】
柔軟なバッキングの長尺シートであって、
第１の端部と、
第２の端部と、
前記第１の端部に隣接して位置する第１の区域と、
前記第２の端部に隣接して位置する第２の区域と、
前記第１の区域と前記第２の区域との間に位置する中央区域と、
を備える柔軟なバッキングの長尺シートと、
前記柔軟なバッキングのシートの一方の面に配置された接着剤層と、
前記中央区域に接続されたフック要素と、
を備え、
前記柔軟なバッキングが、微細構造テープを備え、
前記接着剤層が、１つ以上の炭化水素ブロックコポリマーを有する感圧接着剤と、極性フェノール粘着付与剤と、を備える、
可撓性フックハンガー。
【請求項２】
前記柔軟なバッキングの長尺シートのパネルは、前記中央区域が、前記中央区域自体に対して中に折り曲げられて中央フラップを形成し、かつ前記第１の区域及び前記第２の区域が、前記中央フラップから外に折り曲げられて接着パネルを形成するように、折り曲げられた、請求項１に記載の可撓性フックハンガー。
【請求項３】
前記柔軟なバッキングの長尺シートは、前記可撓性フックハンガーが、前記接着剤層により表面に接着されたとき、少なくとも２つの剥離フロントを与えるように折り曲げられた、請求項２に記載の可撓性フックハンガー。
【請求項４】
第３の剥離フロントが、前記中央区域の隣接するパネル同士の間に与えられた、請求項３に記載の可撓性フックハンガー。
【請求項５】
前記中央フラップが、フック要素を受け入れるためのループを形成する遠位折り目を含む、請求項２に記載の可撓性フックハンガー。
【請求項６】
前記フック要素が、
前記ループ内にあるバーと、
前記バーに接続されたパッドと、
タブから延びるフックと
を備えるバックル構造を備える、請求項５に記載の可撓性フックハンガー。
【請求項７】
前記遠位折り目は、前記フック要素の一部分が中を通って延びる開口を含む、請求項５に記載の可撓性フックハンガー。
【請求項８】
前記中央区域が、前記柔軟なバッキングのパネル同士の間で平面フック要素を受け入れるように分割された、請求項２に記載の可撓性フックハンガー。
【請求項９】
前記中央区域の第２の面は、前記接着剤層が、前記第２の区域に接着するように機能可能であるような窓を含む、請求項８に記載の可撓性フックハンガー。
【請求項１０】
前記中央区域の前記第２の面が、前記第２の区域に向かって付勢するように前記中央フラップを誘起するために、前記中央区域の第１の面に対する予め誘起された応力を含む、請求項８に記載の可撓性フックハンガー。
【請求項１１】
前記第１の区域及び前記第２の区域が、前記柔軟なバッキングの長尺シートの長手方向軸に対して横に延びるサイドフラップを含む、請求項２に記載の可撓性フックハンガー。
【請求項１２】
各サイドフラップが、直立タブのペアを形成するために、反対側に配置されたタブと一致するように構成された長手方向に延びるタブを含む、請求項１１に記載の可撓性フックハンガー。
【請求項１３】
柔軟なバッキングの長尺シートであって、
第１の端部と、
第２の端部と、
前記第１の端部に隣接して位置する第１の区域と、
前記第２の端部に隣接して位置する第２の区域と、
前記第１の区域と前記第２の区域との間に位置する中央区域と、
を備える柔軟なバッキングの長尺シートと、
前記柔軟なバッキングのシートの一方の面に配置された接着剤層と、
前記中央区域に接続されたフック要素と、
を備え、
前記第１の区域及び前記第２の区域のうちの少なくとも１つが、剥離防止部を含む、
可撓性フックハンガー。
【請求項１４】
前記剥離防止部が、
前記柔軟なバッキングの長尺シートの長手方向軸に対して横に前記第１の区域及び前記第２の区域から延びるサイドフラップと、
前記接着剤層の一部分がそれによって露出される前記中央区域中の開口と、
のうちの少なくとも１つを備える、請求項１３に記載の可撓性フックハンガー。
【請求項１５】
各サイドフラップが、直立タブのペアを形成するために、反対側に配置されたタブと一致するように構成された長手方向に延びるタブを含む、請求項１４に記載の可撓性フックハンガー。
【請求項１６】
前記第１の区域のサイドフラップが、前記第２の区域のサイドフラップと重なるように構成された長手方向に延びるタブを含む、請求項１４に記載の可撓性フックハンガー。
【請求項１７】
前記剥離防止部が、
前記第１の区域に接続された反対側で延びるサイドフラップのペアと、
各サイドフラップに接続された長手方向に延びるタブと、
を備える、請求項１３に記載の可撓性フックハンガー。
【請求項１８】
長尺ストリップ及び剥離防止部を形成する柔軟なバッキングのシートと、
前記柔軟なバッキングのシートの一方の面に塗布された接着剤層と、
フック要素と
を備え、
前記柔軟なバッキングの前記長尺ストリップが、
前記フック要素が接続された中央フラップと、
前記中央フラップの両側に前記接着剤層のための少なくとも２つの剥離フロントを形成する２つの接着区域であって、前記剥離防止部が、前記接着区域のうちの少なくとも１つから延びる、２つの接着区域と、
を形成するように折り曲げられた、
可撓性フックハンガー。
【請求項１９】
第３の剥離フロントが、前記中央フラップを形成する前記柔軟なバッキングのシートの一部分同士の間で形成された、請求項１８に記載の可撓性フックハンガー。
【請求項２０】
前記第３の剥離フロントが溶着された、請求項１９に記載の可撓性フックハンガー。
【発明の詳細な説明】
【技術分野】
【０００１】
本明細書は、概して、限定としてではないが、表面から物体を吊すためのハンガーに関する。より詳細には、限定はしないが、本明細書は、貼り付けられた先の表面から取り外され得る接着剤付きハンガーに関する。
【背景技術】
【０００２】
接着剤を使用して表面に固定され得るバッキング材のストリップにフックが機械的に取り付けられた多くのハンガー設計が、長年にわたって開発されてきた。接着剤は、ハンガーに掛けられた物体を支持するために強力であることが望ましいが、ハンガーの取り外しが試みられた場合、損傷なしに、ハンガーが装着された表面からハンガーが取り外され得るような剥離性を有することも望ましい。したがって、接着剤付きハンガーのための接着剤を選択する際に必要に応じて絶え間なく釣り合いをとることがある。従来の接着剤付きハンガーが、Ｒａｂｉｎｏｖｉｔｃｈによる米国特許第２，７２４，５６８号及びＦｒｙｅによる米国特許第４，６７１，４８０号に記載されている。
【発明の概要】
【０００３】
本発明者は、特に、接着剤付きハンガーの機械的設計が、接着剤の剥離性と、荷重下で表面に接着したままであるための接着剤の性能とに影響を及ぼすことがあることを発見した。本発明者は、所望の表面へのハンガーの接着を改善するための、複数の剥離フロントを有する可撓性ハンガーのバッキング材のための機械的設計を開発した。更に、そのような機械的設計は、ハンガーの取り外しを容易にするために高度の剥離性を有する接着剤、及びハンガーの接着を維持するために高度の可撓性と伸張性とを有するバッキング材と組み合わせられ得る。この機械的設計は、ハンガーの荷重による接着剤の剥離を抑制するが、ハンガーの取り外しが望まれるとき、消費者がバッキング材を剥ぎ取ることが可能であることに干渉しないという、バッキング材の様々な剥離防止特徴を含むことができる。
【０００４】
一実施形態では、可撓性フックハンガーは、柔軟なバッキングの長尺シートと、接着剤層と、フック要素とを備える。柔軟なバッキングの長尺シートは、第１の端部と、第２の端部とを備え、第１の区域が、第１の端部に隣接して位置し、第２の区域が、第２の端部に隣接して位置し、中央区域が、第１の区域と第２の区域との間に位置する。接着剤層は、柔軟なバッキングのシートの一方の面に配置される。フック要素は中央ゾーンに接続される。柔軟なバッキングは、微細構造テープを備え、接着剤層は、１つ以上の炭化水素ブロックコポリマーを有する感圧接着剤と、極性フェノール粘着付与剤とを備える。
【０００５】
別の実施形態では、可撓性フックハンガーは、柔軟なバッキングの長尺シートと、接着剤層と、フック要素とを備える。柔軟なバッキングの長尺シートは、第１の端部と、第２の端部とを備え、第１の区域が、第１の端部に隣接して位置し、第２の区域が、第２の端部に隣接して位置し、中央区域が、第１の区域と第２の区域との間に位置する。接着剤層は、柔軟なバッキングのシートの一方の面に配置される。フック要素は、中央区域に接続される。第１の区域及び第２の区域のうちの少なくとも１つは、剥離防止部を含む。
【０００６】
別の実施形態では、可撓性フックハンガーは、柔軟なバッキングの長尺シートと、接着剤層と、フック要素とを備える。柔軟なバッキングの長尺シートは、第１の端部と、第２の端部とを備え、第１の区域が、第１の端部に隣接して位置し、第２の区域が、第２の端部に隣接して位置し、中央区域が、第１の区域と第２の区域との間に位置する。接着剤層は、柔軟なバッキングのシートの一方の面に配置される。フック要素は、中央区域に接続される。第１の区域及び第２の区域は、それぞれ、第１の幅及び第２の幅を有し、中央区域は、第１の幅及び第２の幅のうちの少なくとも１つよりも小さい第３の幅を有する。
【０００７】
この概要は、本特許出願の主題の概要を与えることを意図している。この概要は、本発明の排他的又は網羅的説明を与えることを意図していない。本特許出願に関する更なる情報を与えるための詳細な説明が含まれる。
【図面の簡単な説明】
【０００８】
【図１Ａ】２つの隣接する接着区域に接続された中央フラップ区域を有する、本開示の折り曲げフラップハンガー装置の斜視図である。
【図１Ｂ】図１Ａの折り曲げフラップハンガー装置を形成するように折り曲げられ得る、柔軟なバッキング材のシートの平面図である。
【図２】図１Ａのバッキング層を表面に接続する接着剤層を示す、図１Ａの折り曲げフラップハンガー装置の側面図である。
【図３】２つの隣接する接着区域上の接着剤層をカバーする保護シートを示す、図１Ａの折り曲げフラップハンガー装置の斜視図である。
【図４Ａ】荷重が、中央フラップ区域に接続されたフック要素に通常荷重方向に加えられている、図１Ａの折り曲げフラップハンガー装置の一例である。
【図４Ｂ】通常荷重によって形成された３つの剥離フロントを示す、図４Ａの折り曲げフラップハンガー装置の拡大図である。
【図５Ａ】荷重が、中央フラップ区域に接続されたフック要素に横荷重方向に加えられている、図１Ａの折り曲げフラップハンガー装置の一例である。
【図５Ｂ】横荷重によって形成された３つの剥離フロントを示す、図５Ａの折り曲げフラップハンガー装置の拡大図である。
【図６】荷重が、中央フラップ区域に接続されたフック要素に側方荷重方向に加えられている、図１Ａの折り曲げフラップハンガー装置の一例である。
【図７Ａ】中央フラップ区域中の窓を示す、図１Ａの折り曲げフラップハンガー装置の一実施形態の斜視図である。
【図７Ｂ】中央フラップ区域の別のパネルに隣接する中央フラップ区域の１つのパネル中の窓を示す、図７Ａの折り曲げフラップハンガー装置の斜視断面図である。
【図７Ｃ】中央フラップ区域が、窓を通って、隣接する接着区域のうちの１つに接着していることを示す、図７Ｂの折り曲げフラップハンガー装置の側面断面図である。
【図８Ａ】中央フラップ区域に隣接する接着区域から延びるサイドフラップを示す、図１Ａの折り曲げフラップハンガー装置の一実施形態の斜視図である。
【図８Ｂ】図８Ａの折り曲げフラップハンガー装置を形成するように折り曲げられ得る、柔軟なバッキング材のシートの平面図である。
【図９Ａ】中央フラップ区域に隣接する接着区域から延びる直上対面フラップを示す、図１Ａの折り曲げフラップハンガー装置の一実施形態の斜視図である。
【図９Ｂ】図９Ａの折り曲げフラップハンガー装置を形成するように折り曲げられ得る、柔軟なバッキング材のシートの平面図である。
【図１０Ａ】中央フラップ区域に隣接する接着区域から延びる重なりフラップを示す、図１Ａの折り曲げフラップハンガー装置の一実施形態の斜視図である。
【図１０Ｂ】図１０Ａの折り曲げフラップハンガー装置を形成するように折り曲げられ得る、柔軟なバッキング材のシートの平面図である。
【図１１Ａ】隣接する接着区域のうちの１つが高張力領域を含むことを示す、図１Ａの折り曲げフラップハンガー装置の一実施形態の斜視図である。
【図１１Ｂ】高張力領域が、隣接する接着区域のうちの１つに向かって中央フラップ区域を付勢することを示す、図１１Ａの折り曲げフラップハンガー装置の側面図である。
【図１２】中央フラップ区域が、中央フラップ区域のパネル同士の間に埋め込まれたフック要素を含む、折り曲げフラップハンガー装置の一実施形態である。
【図１３】中央フラップ区域が、バックル構造を介して中央フラップ区域に接続されたフック要素を含む、折り曲げフラップハンガー装置の一実施形態である。
【図１４】中央フラップ区域が、中央フラップ区域の外面に接続されたフック要素を含む、折り曲げフラップハンガー装置の一実施形態である。
【図１５】中央フラップ区域が、中央フラップ区域のパネル同士の間に位置するフック要素を含む、折り曲げフラップハンガー装置の一実施形態である。
【図１６Ａ】スプールに巻回された折り曲げフラップハンガー装置のロールの側面図である。
【図１６Ｂ】ハンガー装置同士の間のバッキング中に空間を有する、図１６Ａのスプールから巻き解かれた折り曲げフラップハンガー装置のストリングの平面図である。
【図１６Ｃ】ハンガー装置同士の間のバッキング中にミシン目を有する、図１６Ａのスプールから巻き解かれた折り曲げフラップハンガー装置のストリングの平面図である。
【図１７】ディスペンサーパネルに接合された折り曲げフラップハンガー装置のストリップの平面図である。
【０００９】
必ずしも一定の縮尺で描かれているとは限らないこれらの図面において、同様の数字は、異なる図中で同様の構成要素を示し得る。異なる接尾文字を有する同様の数字は、同様の構成要素の異なる事例を表し得る。図面は、概して、限定としてではないが、例として、本明細書において論じられる様々な実施形態を例示する。
【発明を実施するための形態】
【００１０】
図１Ａは、２つの隣接する接着区域１４Ａ及び１４Ｂに接続された中央フラップ区域１２を有する、本開示の折り曲げフラップハンガー装置１０の斜視図である。中央フラップ区域１２並びに接着区域１４Ａ及び１４Ｂは、バッキング１６を形成する材料の単一のシートから形成される。フック要素１８が、中央フラップ区域１２に結合される。バッキング１６は、折り目２０においてフック要素１８を覆って折り曲げられて中央フラップ区域１２を形成し、接着区域１４Ａ及び１４Ｂは、折り目２２Ａ及び２２Ｂにおいて中央フラップ区域１２から外に延びる。接着区域１４Ａ及び１４Ｂは、異なる角度及び向きに配置された表面に取り付けられ得、中央フラップ区域１２は可撓性があり、したがって、フック要素１８は、すべてのそのような角度及び向きで物品を掛けるために使用され得る。１つ以上の表面に接着されたとき、中央フラップ区域１２のパネル２４Ａ及び２４Ｂ、並びに接着区域１４Ａ及び１４Ｂのパネル２６Ａ及び２６Ｂは、様々な荷重向きの下での１つ以上の表面への折り曲げフラップハンガー装置１０の接着を促進する、最高３つの剥離フロントをもつ折り曲げフラップハンガー装置１０を提供する。折り曲げフラップハンガー装置１０は、図７Ａ〜図１０Ｂに示されているものなど、様々な剥離防止部を更に含むことができる。
【００１１】
図１Ｂに見られるように、バッキング１６は、折り曲げられたとき、第１のパネル２４Ａと、第２のパネル２４Ｂと、第３のパネル２６Ａと、第４のパネル２６Ｂとを備える、接着区域１４Ａと、中央フラップ区域１２と、接着区域１４Ｂとを含む一体型本体を備える。したがって、中央フラップ区域１２は、第１のパネル２４Ａ及び第２のパネル２４Ｂから形成され、接着区域１４Ａ及び１４Ｂは、それぞれ、第３のパネル２６Ａ及び第４のパネル２６Ｂを備える。以下でより詳細に論じられるように、第１のパネル２４Ａ及び第２のパネル２４Ｂの互いへの接着は、第１の剥離フロントを備え、表面への第３のパネル２６Ａ及び第４のパネル２６Ｂの接着は、第２の剥離フロントと第３の剥離フロントとを備える。パネル２４Ａ〜２６Ｂの長さは、折り曲げフラップハンガー装置１０の異なる実施形態において変更され得る。例えば、パネル２６Ａ及び２６Ｂのより大きいサイズは、更なる重量を支持するために使用され得、パネル２４Ａ及び２４Ｂのより長い長さは、剥離フロントに対する張力を低減するために使用され得る。他の実施形態では、パネル２４Ａ及び２４Ｂ、並びにパネル２６Ａ及び２６Ｂは、それぞれ、等しい長さを有する。ただし、他の実施形態では、パネル２４Ａ及び２４Ｂ、並びにパネル２６Ａ及び２６Ｂは、それぞれ、異なる長さを有することができる。
【００１２】
一実施形態では、バッキング１６はモノリシックであり、すなわち、単一の材料から一様に形成され得る。様々な実施形態では、バッキング１６は、それらの各々が、すべての目的のためにその全体が参照により本明細書に組み込まれる、Ｂａｒｔｕｓｉａｋらによる米国特許第８，５３０，０２１号、Ｂａｒｔｕｓｉａｋらによる米国公開第２０１３／００２５７７９号、Ｂａｒｔｕｓｉａｋらによる米国公開第２０１４／０１３８０２５号、Ｂａｒｔｕｓｉａｋらによる米国公開第２０１５／００１０７００号、Ｃｌａｒｋｅらによる米国公開第２０１５／０１６６８４４号、及びＣｌａｒｋｅらによる米国公開第２０１４／００４４９１２号に記載されている微細構造テープ材料から作製又は製造され得る。そのような微細構造テープ材料は、それらの高レベルの可撓性、柔らかさ及び伸張性により、折り曲げフラップハンガー装置１０において使用するのに特に好適である。例えば、微細構造テープ材料は、伸張することができるので、中央フラップ区域１２に加えられた荷重は、いずれか１つの剥離フロントに対する荷重を低減するように装置１０全体にわたって分散される。そのような微細構造テープ材料の可撓性はまた、所与の剥離フロントにわたって応力を均一にするか又は分散させることができる。他の実施形態では、ポリマーなどの他の材料が、バッキング１６のために使用され得る。
【００１３】
他の実施形態では、バッキング１６は、折り曲げフラップハンガー装置１０について異なる機械的特性及び剥離性特徴を生じるなどのために、ともに融着された異なる材料から作製され得る。例えば、バッキング１６は、剥離を抑制するための比較的硬いパネル２６Ａ及び２６Ｂと、フック要素１８の移動及び方向付けを可能にするための比較的可撓性のパネル２４Ａ及び２４Ｂとから作製され得る。
【００１４】
第１のパネル２４Ａ及び第２のパネル２４Ｂは、フック要素１８を受け入れるための開口２８を含む。一実施形態では、フック要素は、サイド延長部３０Ａ及び３０Ｂと、中央隆起部３２とを有する湾曲ロッドを備える。サイド延長部３０Ａ及び３０Ｂは、折り目２０によって形成されたループ内に配置され、中央隆起部３２は、開口２８を通って突出する。したがって、中央隆起部３２は、パネル２４Ａから離れて延び、パネル２４Ｂは、パネル２６Ｂに対面する。フック要素１８は、折り曲げフラップハンガー装置１０とともに使用され得るハンガー要素のほんの一例を備える。折り曲げフラップハンガー装置１０とともに使用され得るハンガー要素の他の例が、図１２〜図１５を参照しながら論じられる。
【００１５】
図２に見られるように、パネル２４Ａ、２４Ｂ、２６Ａ及び２６Ｂの第１の面は露出され、第２の面は、接着剤層３４により実質的に覆われる。図３に示されているように、パネル２６Ａ及び２６Ｂは、接着剤層３４を覆うために、それぞれ、保護シート３６Ａ及び３６Ｂが設けられる。一実施形態では、接着剤層３４は、バッキング１６上の一様に塗布されたコーティングであり得る。しかしながら、接着剤層３４はまた、端部ライン３８のところまで延びるにすぎず、それにより、パネル２６Ｂの一部分を、接着剤層３４によってコーティングされないままにすることができる。したがって、パネル２６Ｂの一部分は、パネル２６Ｂを表面４０から剥ぎ取るために把持され得るプルタブ３９を形成することができる。プルタブ３９は、パネル２６Ｂが、縁から引き上げられることを可能にすることなどによって、ハンガー装置１０の取り外しを補助することができる。したがって、パネル２６Ｂは可撓性があるので、パネル２６Ｂは、剥離フロントに沿って表面４０から引き離され得、したがって、一度に少量の接着剤層３４のみが対処される必要がある。逆に、いくつかの従来の設計では、特に、剛性ベース部材が、表面に直接接着されるか、あるいは表面に直接接着されたフィルム又はバッキングの上面上に位置するとき、ベース部材の剛性により、剥離フロントの形成が妨げられ、一度に接着剤の大きい表面積に対処する必要が生じ、このことは、表面に損傷を生じることがある。
【００１６】
接着剤層３４は、着脱可能接着材料及び剥離可能接着材料から製造され得る。
【００１７】
伸張性着脱可能接着剤の一例が、Ｓｈｅｒｉｄａｎらによる米国特許第６，５６９，５２１号に見出される。他の例示的な伸張性着脱可能接着剤は、その開示が、すべての目的のためにその全体が参照により本明細書に組み込まれる、「Ｃｏｎｆｏｒｍａｂｌｅ，Ｓｔｒｅｔｃｈ  Ｒｅｌｅａｓａｂｌｅ  Ａｄｈｅｓｉｖｅ  Ａｒｔｉｃｌｅｓ」と題する、本出願人の同時係属米国仮出願第６２／３４７，２６５号に見出され得る。
【００１８】
剥離可能接着剤は、所望の特性を有する任意の剥離可能接着剤を含むことができる。
【００１９】
いくつかの実施形態において、剥離可能接着剤は感圧接着剤である。有用な感圧接着剤の一般的な説明が、「Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ」，Ｖｏｌ．１３，Ｗｉｌｅｙ−Ｉｎｔｅｒｓｃｉｅｎｃｅ  Ｐｕｂｌｉｓｈｅｒｓ（Ｎｅｗ  Ｙｏｒｋ，１９８８）に見出され得る。有用な感圧接着剤の更なる説明が、「Ｅｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ」，Ｖｏｌ．１，Ｉｎｔｅｒｓｃｉｅｎｃｅ  Ｐｕｂｌｉｓｈｅｒｓ（Ｎｅｗ  Ｙｏｒｋ，１９６４）に見出され得る。任意の好適な組成物、材料又は成分が、感圧接着剤において使用され得る。例示的な感圧接着剤は、例えば、１つ以上の粘着付与樹脂と組み合わせて、１つ以上の熱可塑性エラストマーを使用する。
【００２０】
いくつかの実施形態では、剥離可能接着剤層は、ゴム系接着剤、シリコーン系接着剤、又はアクリル系接着剤のうちの少なくとも１つを含むことができる。いくつかの実施形態では、剥離可能接着剤層は、感圧接着剤（ＰＳＡ）又はエポキシ接着剤を含むことができる。いくつかの実施形態では、剥離可能接着剤としては、放射線法、溶液法、懸濁法、又は乳化法によって重合され得る、天然ゴム、オレフィン、シリコーンポリ尿素類などのシリコーン、ポリイソプレン、ポリブタジエン、並びにスチレン−イソプレン−スチレンブロックコポリマー、スチレン−エチレン−ブチレン−スチレンブロックコポリマー及びスチレン−ブタジエン−スチレンブロックコポリマー、並びに他の合成エラストマーなどの合成ゴム系接着剤などの粘着性ゴム系接着剤、並びにイソオクチルアクリレートとアクリル酸とのコポリマーなどの粘着性又は非粘着性アクリル系接着剤、ポリウレタン、シリコーンブロックコポリマー、並びに上記の組み合わせが挙げられる。接着剤は、例えば、それらのすべてが参照により本明細書に組み込まれる以下の特許出願、すなわち、ＰＣＴ特許公報第２０１５／０３５５５６号、第２０１５／０３５９６０号、及び米国２０１５／０３４１０４のいずれかに記載されている接着剤のいずれかであり得る。
【００２１】
いくつかの実施形態において、接着剤は粘着付与剤を含む。いくつかの例示的な粘着付与剤は、ポリテルペン、テルペンフェノール、ロジンエステル、及び／又はロジン酸のうちの少なくとも１つを含む。
【００２２】
いくつかの実施形態では、剥離可能接着剤は、バッキング上にコーティングされ得る流動性接着剤である。いくつかの実施形態では、剥離可能接着剤は、概して、例えば、それらの各々が、すべての目的のためにその全体が参照により本明細書に組み込まれる、Ｚｉｍｍｅｒｍａｎｎらによる米国特許第５，９２５，４５９号及びＺｉｍｍｅｒｍａｎｎらによる米国特許第６，４０３，２１４号に記載されている、より固体の接着剤である。
【００２３】
いくつかの実施形態では、接着剤の接着特性は、０Ｎ／ｄｍから２５Ｎ／ｄｍまでに及ぶことができる。いくつかの実施形態では、接着剤の接着特性は、０．５Ｎ／ｄｍから１０Ｎ／ｄｍまでに及ぶことができる。いくつかの実施形態では、接着剤の接着特性は、１Ｎ／ｄｍから５Ｎ／ｄｍまでに及ぶことができる。
【００２４】
いくつかの実施形態では、剥離可能接着剤は、例えば、１平方インチあたり４〜２０ポンドのせん断力を与えることができる。
【００２５】
いくつかの実施形態では、バッキング１６など、接着剤物品の構成要素は、パネル１４Ａ及び１４ｂの終端部のうちの少なくとも１つ、又は別の好適な場所から剥がされ得る。いくつかの実施形態では、接着剤物品は、上述の場所のうちの少なくとも２つから剥がされ得る。
【００２６】
いくつかの実施形態では、剥離可能接着剤は、損傷なく、又は最小の損傷で剥離を達成するように調整される。そうするための例示的な方法及び物品が、例えば、それらの各々が、その全体が本明細書に組み込まれる、米国特許第６，８３５，４５２号、並びに以下の出願番号、すなわち、第６２／２８９，５８５号及び第６２／３７９，８１２号の下で本譲受人によって出願された米国仮出願に記載されている。
【００２７】
いくつかの実施形態では、本明細書で説明される様々な実施形態の接着剤は、バッキングの第１の面の少なくとも一部分上に配置された第１の感圧接着剤組成物であり得、第１の感圧接着剤組成物は、１つ以上の炭化水素ブロックコポリマー（例えば、スチレン−ブタジエン−スチレントリブロックコポリマーとスチレン−ブタジエンジブロックコポリマーとの混合物）を備え、及びフェノール部分を備えて２０〜１３０の水酸基値と０．５未満の酸性値とを有する極性フェノール粘着付与剤（例えば、テルペンフェノール粘着付与剤）を備え、及び、随意に、無極性粘着付与剤（例えば、テルペン樹脂粘着付与剤）を備える。そのような感圧接着剤組成物は、それの全体が本明細書に組み込まれる、米国特許公開第２０１５／１９５６１７号に完全に記載されている。
【００２８】
図２では、保護シート３６Ａ及び３６Ｂ（図３を参照）は、折り曲げフラップハンガー装置１０が表面４０に接着され得るように取り外される。バッキング１６は、接着剤層３４のすべてを保護するために、単一の連続する剥離可能シートが最初に設けられ得る。図３によって示されているように、剥離可能シートは、保護シート３６Ａ及び３６Ｂ、並びにパネル２４Ａ及び２４Ｂにおける接着剤層３４を係合させるための１枚以上のシートなど、サブパネルを形成するように切断され得る。しかしながら、パネル２４Ａ及び２４Ｂにおける接着剤層３４を覆うシートは、バッキング１６が、折り曲げられて中央フラップ区域１２を形成するとき、パネル２４Ａとパネル２４Ｂとがともに接着され得るように、消費者によって、又は装置１０の製造中にのいずれかで取り外され得る。図１６Ａ、図１６Ｂ及び図１７は、接着剤層３４への保護シートの結合の他の例を示す。例えば、図１７において、保護シートは、パネル２６Ａ及び２６Ｂの形状を有するように切断され得る。
【００２９】
図２に見られるように、バッキング１６は、中央フラップ区域１２の両側の２つの異なる場所において表面４０に取り付けられ、それにより、２つの剥離フロントを形成する。説明された実施形態では、中央フラップ区域１２は、接着剤層３４の２つの部分によって接合されたバッキング１６の２つのパネルを備え、それにより、別の剥離フロントを形成する。別の実施形態では、接着剤層３４は、パネル２４Ａとパネル２４Ｂとの間で省略され得、パネル２４Ａ及び２４Ｂは、剥離フロントをなくすために、ともに溶着されるか又はさもなければ固定され得る。したがって、図４Ａ〜図６を参照しながら論じられるように、様々な角度及び向きで荷重下にあるときでも表面４０に取り付けられたままであるために、折り曲げフラップハンガー装置１０の性能を改善する複数の剥離フロントが与えられ得る。
【００３０】
図４Ａは、通常荷重ＦＮが、中央フラップ区域１２に接続されたフック要素１８に通常荷重方向に加えられている、図１Ａの折り曲げフラップハンガー装置１０の一例である。図４Ｂは、通常荷重ＦＮによって形成された３つの剥離フロントＰ１、Ｐ２及びＰ３を示す、図４Ａの折り曲げフラップハンガー装置１０の拡大図である。通常荷重ＦＮは、例えば、表面４０が天井を備えるときなど、接着区域１４Ａ及び１４Ｂが水平面に貼り付けられたときに生じ得る。
【００３１】
剥離フロントＰ１及びＰ２は、表面４０と、パネル２６Ａ及び２６Ｂにおける接着剤層３４との間で形成される。剥離フロントＰ１及びＰ２は、互いから１８０度で反対にあり、したがって、総剥離力は各剥離フロントの合計になる。剥離フロントＰ３が、パネル２４Ａとパネル２４Ｂとの間で形成される。
【００３２】
図４Ｂ中のものなど、複数剥離フロント構成の場合の定常状態剥離力は、式［１］によって決定され、ここで、Ｐは総剥離力であり、ｂはバッキング１６の幅であり、Ｇａは接着剤層３４のバッキング１６との接着エネルギーである。
Ｐ／ｂ＝２Ｇ＿ａ／（１−ｃｏｓθ）ｓｉｎθ  式［１］
【００３３】
折り曲げフラップハンガー装置１０の利点は、通常荷重ＦＮが加えられたとき、折り目２２Ａと表面４０との間の角度と、折り目２２Ｂと表面４０との間の角度とが等しくなり、したがって、必要とされる剥離力が２倍になることである。剥離フロントＰ３における接着剤層３４は、パネル２４Ａ及び２４Ｂを互いに向かって引っ張る傾向を有し、それにより、剥離フロントＰ１及びＰ２における剥離に対する抵抗力を改善する。したがって、折り曲げフラップハンガー装置１０は、特に、頭上の表面上での使用に好適である。
【００３４】
図５Ａは、横荷重ＦＴが、中央フラップ区域１２に接続されたフック要素１８に横荷重方向に加えられている、図１Ａの折り曲げフラップハンガー装置１０の一例である。図５Ｂは、横荷重ＦＴによって形成された３つの剥離フロントを示す、図５Ａの折り曲げフラップハンガー装置１０の拡大図である。横荷重ＦＴは、例えば、表面４０が壁を備えるときなど、接着区域１４Ａ及び１４Ｂが垂直面に貼り付けられたときに生じ得る。
【００３５】
式［１］は、なお、図５Ａの定常状態剥離力を決定する。しかしながら、そのような向きでは、第２の剥離力Ｐ２が優勢である。しかしながら、剥離力Ｐ２は、図５Ｂ中の角度θの浅い角度により、図４Ｂ中の剥離力Ｐ１又はＰ２よりも大きくなり、したがって、折り曲げフラップハンガー装置１０は、垂直面上での使用に好適である。
【００３６】
一実施形態では、パネル２６Ｂの長さは、装置１０が、図５Ａ及び図５Ｂの特定の向きで使用されることを意図するように、パネル２６Ａの長さよりも短くなり得る。そのような構成では、パネル２６Ａが、折り曲げフラップハンガー装置１０の接着能力を左右し、したがって、パネル２６Ｂの接着能力は、それの長さを短くすることによって簡約され得る。そのような構成は、なお、少なくとも２つの剥離フロントの存在により有益である。
【００３７】
図６は、側方荷重ＦＬが、中央フラップ区域１２に接続されたフック要素１８に側方荷重方向に加えられている、図１Ａの折り曲げフラップハンガー装置１０の一例である。側方荷重の場合、折り曲げフラップハンガー装置１０は、図４Ａの通常荷重方向と図５Ａの横荷重方向との掛け合わせ又は組み合わせを受ける。上記で説明されたバッキング材及び接着剤は、特に、側方荷重に対処するのに好適である。特に、中央フラップ区域１２の可撓性及び長さは、側方荷重の反対側の中央フラップ区域１２の側面などにおける、縁にかかる力を最小限に抑える。例えば、中央フラップ区域１２の長さは、荷重が中央フラップ区域１２の遠位端に平行になるような方向でフック要素１８が再位置決めされることを可能にし、それにより、中央フラップ区域１２の幅にわたって荷重が分散されることを可能にする。また、バッキング１６によって与えられた中央フラップ区域１２の伸張性も、中央フラップ区域１２を横切って、したがって、パネル２６Ａ及び２６Ｂに荷重を分散させる。更に、以下で本明細書で説明される剥離防止特徴は、更に、側方荷重が、表面４０からの接着剤層３４の剥離を望ましくなく引き起こすことを妨げる。
【００３８】
図７Ａは、中央フラップ区域１２中の窓４２を示す、図１Ａの折り曲げフラップハンガー装置１０の一実施形態の斜視図である。図７Ｂは、中央フラップ区域１２のパネル２６Ｂに隣接する中央フラップ区域１２のパネル２４Ｂ中の窓４２を示す、図７Ａの折り曲げフラップハンガー装置１０の斜視断面図である。図７Ｃは、中央フラップ区域１２が、窓４２を通って、隣接する接着区域１４Ｂに接着されていることを示す、図７Ｂの折り曲げフラップハンガー装置１０の側面断面図である。窓４２は、ハンガー装置１０のより容易な扱い及び貼り付けを可能にするために、中央フラップ区域１２がパネル２６Ｂに対して一時的に平坦に置かれることを可能にする。使用中に、窓４２を通したパネル２４Ａとパネル２６Ｂとの間の結合は、中央フラップ区域１２が、再度向きを定められ、伸張することができるように切り離され得る。別の例では、窓４２は、パネル２４Ａ及び２４Ｂのために硬い材料を使用し、それにより、パネル２６Ａと表面４０との間の剥離力の一部を軽減することによって、中央フラップ区域１２上の接着剤層３４がより持続的にパネル２６Ｂに接着することを可能にすることができる。したがって、窓４２は、折り曲げフラップハンガー装置１０全体にわたってフック要素１８に対する荷重を分散させるのを助ける。窓４２のサイズ、形状及び場所は、折り曲げフラップハンガー装置１０の異なる実施形態において異なることがある。
【００３９】
図８Ａは、中央フラップ区域１２に隣接する接着区域１４Ａのパネル２６Ａから延びるサイドフラップ４４Ａ及び４４Ｂを示す、図１Ａの折り曲げフラップハンガー装置１０の一実施形態の斜視図である。図８Ｂは、図８Ａの折り曲げフラップハンガー装置１０を形成するように折り曲げられ得る、柔軟なバッキング１６のシートの一実施形態である。サイドフラップ４４Ａ及び４４Ｂは、それぞれ、タブ４６Ａ及び４６Ｂを含む。バッキング１６は、図８Ｂ中の変更されたＴ形状をなす。
【００４０】
サイドフラップ４４Ａ及び４４Ｂは、バッキング１６の他の実施形態と比較して、パネル２６Ａの幅を拡大する。図８Ｂの実施形態では、パネル２６Ａはまた、パネル２４Ａ、２４Ｂ及びパネル２６Ｂよりも広い。したがって、折り曲げられたとき、パネル２６Ａは、パネル２４Ａ、２４Ｂ及び２６Ｂを越えて側方に突出する。タブ４６Ａ及び４６Ｂは、サイドフラップ４４Ａ及び４４Ｂから（図８Ｂ中のバッキング１６の垂直軸に対して）長手方向に延び、パネル２６Ｂの横に表面４０に接着するように構成される。サイドフラップ４４Ａ及び４４Ｂは、パネル２６Ａの表面積を増加させ、それにより、接着区域１４Ａの、表面４０に接着する性能を増加させる。装置１０が折り曲げられたとき、タブ４６Ａ及び４６Ｂは、パネル２６Ｂの横に配置されるように、（図８Ａに示されているように）サイドフラップ４４Ａ及び４４Ｂから中央フラップ区域１２を越えて延び、それにより、剥離フロントＰ１及びＰ２（図４Ｂ）を越えて延びる。
【００４１】
サイドフラップ４４Ａ及び４４Ｂ並びにタブ４６Ａ及び４６Ｂは、剥離フロント４８が、パネル２６Ａの縁５０Ａ及び５０Ｂに達するのを妨げ、このことは、接着区域１４Ａが表面４０に接着された状態を維持するのを助ける。例えば、剥離フロント４８の頂点Ｐは、より多くの荷重がフック要素１８に加えられるにつれて、パネル２６Ａの遠位（図８Ｂ中の上部）縁に向かって押し出され、サイドフラップ４４Ａ及び４４Ｂは、剥離フロント４８の縁Ｅを接着区域１４Ａの境界内に保つ。いくつかの従来のハンガー構成では、剥離フロントは、剥離フロント４８と比較して反転形状を有する。したがって、より多くの荷重が加えられるにつれて、谷が折り目２２Ａの近くに形成され、剥離フロントの縁が、接着区域の縁に向かって、上方及び外側に移動する。この反転剥離フロントの縁が接着区域の縁に達すると、ハンガーは迅速に取り外され得る。図８Ａ中のハンガー１０の例では、サイドフラップ４４Ａ及び４４Ｂは、従来の剥離フロントを反転して剥離フロント４８にし、剥離フロントの縁をハンガーの縁から離れるように保ち、剥離フロントを、パネル２６Ａを通って遠位縁のほうへ中央に移すことができる。サイドフラップ４６Ａ及び４６Ｂは、更に、特に、図６に示されているような側方荷重の下で、剥離フロント４８が横方向に移動するのを妨げる。
【００４２】
図９Ａは、中央フラップ区域１２に隣接する、それぞれ、接着区域１４Ａ、１４Ｂの、それぞれ、サイドフラップ５６Ａ、５６Ｂ、並びに５８Ａ及び５８Ｂから延びる直立対面フラップ５２Ａ、５２Ｂ及び５４Ａ、５４Ｂを示す、図１Ａの折り曲げフラップハンガー装置１０の一実施形態の斜視図である。図９Ｂは、図９Ａの折り曲げフラップハンガー装置１０を形成するように折り曲げられ得る、柔軟なバッキング１６のシートの一実施形態である。バッキング１６は、図９Ｂ中の変更されたＩ形状をなす。
【００４３】
サイドフラップ５６Ａ及び５６Ｂは、バッキング１６の他の実施形態と比較してパネル２６Ａの幅を拡大し、サイドフラップ５８Ａ及び５８Ｂは、バッキング１６の他の実施形態と比較してパネル２６Ｂの幅を拡大する。図９Ｂの実施形態では、サイドフラップ５６Ａ及び５６Ｂはまた、パネル２６Ａをパネル２４Ａよりも幅広く延ばし、サイドフラップ５６Ａ及び５８Ｂはまた、パネル２６Ｂをパネル２４Ｂよりも幅広く延ばす。したがって、折り曲げられたとき、パネル２６Ａは、パネル２４Ａを越えて側方に突出し、パネル２６Ｂは、パネル２４Ｂを越えて側方に突出する。タブ５２Ａ及び５２Ｂは、サイドフラップ５６Ａ及び５６Ｂから（図９Ｂ中のバッキング１６の垂直軸に対して）長手方向に延びる。タブ５４Ａ及び５４Ｂは、サイドフラップ５８Ａ及び５８Ｂから（図９Ｂ中のバッキング１６の垂直軸に対して）長手方向に延びる。タブ５４Ａ及び５４Ｂは、中央フラップ区域１２の横に直立部分を形成するために、それぞれ、タブ５２Ａ及び５２Ｂに接着するように構成される。したがって、タブ５２Ａ〜５４Ｂは、折り曲げられたとき、折り目６０Ａ、６０Ｂ及び６２Ａ、６２Ｂを含む。サイドフラップ５６Ａ、５６Ｂ、５８Ａ及び５８Ｂは、接着区域１４Ａ及び１４Ｂの表面積を増加させ、それにより、折り曲げフラップハンガー装置１０の接着力を増加させるために、図８Ａ及び図８Ｂのサイドフラップ４４Ａ及び４４Ｂと同様に機能する。タブ５２Ａ〜５４Ｂは、特に、表面４０からのパネル２６Ａ及び２６Ｂの剥離及び分離を伝搬することがある縁荷重影響を最小限に抑えるために、パネル２６Ａとパネル２６Ｂの両方全体にわたってフック要素１８の荷重を分散させるように機能する。
【００４４】
図１０Ａは、中央フラップ区域１２に隣接する接着区域１４Ａのパネル２６Ａのサイドフラップ６６Ａ及び６６Ｂから延びる重なりフラップ６４Ａ及び６４Ｂを示す、図１Ａの折り曲げフラップハンガー装置１０の一実施形態の斜視図である。パネル２６Ｂは、サイドフラップ６８Ａとサイドフラップ６８Ｂとを含む。図１０Ｂは、図１０Ａの折り曲げフラップハンガー装置１０を形成するように折り曲げられ得る、柔軟なバッキング１６のシートの一実施形態である。
【００４５】
サイドフラップ６６Ａ及び６６Ｂは、パネル２６Ａをパネル２４Ａよりも幅広く延ばす。サイドフラップ６８Ａ及び６８Ｂは、パネル２６Ｂをパネル２４Ｂよりも幅広く延ばす。したがって、折り曲げられたとき、パネル２６Ａは、パネル２４Ａを越えて側方に突出し、パネル２６Ｂは、パネル２４Ｂを越えて側方に突出する。タブ６４Ａ及び６４Ｂは、サイドフラップ６６Ａ及び６６Ｂから（図１０Ｂ中のバッキング１６の垂直軸に対して）長手方向に延びる。したがって、サイドフラップ６６Ａ〜６８Ｂは、パネル２６Ａ及び２６Ｂの表面積及び接着力を増加させる。
【００４６】
タブ６４Ａ及び６４Ｂは、中央フラップ区域１２の横に重なり部分を形成するために、それぞれ、サイドフラップ６８Ａ及び６８Ｂに接着するように構成される。タブ６４Ａ及び６４Ｂは、特に、表面４０からのパネル２６Ａ及び２６Ｂの剥離及び分離を伝搬することがある縁荷重影響を最小限に抑えるために、パネル２６Ａとパネル２６Ｂの両方全体にわたってフック要素１８の荷重を分散させるように機能する。タブ６４Ａ及び６４Ｂは、中央フラップ区域１２からパネル２６Ａへの力の伝達を抑制するために、それぞれ、サイドフラップ６６Ａ及び６６Ｂの横に応力緩和部７０Ａ及び７０Ｂを含むことができる。一実施形態では、応力緩和部７０Ａ及び７０Ｂは、パネル２４Ａに接する円形形状を有することができる。
【００４７】
図１１Ａは、隣接する接着区域１４Ａ及び１４Ｂのうちの１つが高張力領域７２を含むことを示す、図１Ａの折り曲げフラップハンガー装置１０の一実施形態の斜視図である。図１１Ｂは、高張力領域７２が、隣接する接着区域１４Ｂに向かって中央フラップ区域１２を付勢することを示す、図１１Ａの折り曲げフラップハンガー装置１０の側面図である。
【００４８】
高張力領域７２は、折り目２２Ｂに隣接して位置し得る。高張力領域７２は、ハンガー装置１０の製造中にパネル２４Ｂに付与され得る。例えば、パネル２４Ｂは、パネル２４Ａの初期長さよりも小さい初期長さを有するように整形され得る。パネル２４Ｂは、パネル２４Ａの長さまで伸張され得、パネル２４Ａ及びパネル２４Ｂは、中央フラップ区域１２を形成するためにともに接着される。パネル２４Ｂに対する張力が放出されたとき、パネル２４Ｂは、それの元の長さに戻るように収縮する傾向があり、それにより、中央フラップ区域１２は、パネル２４Ａが、それの元の長さのままである傾向があるので、パネル２６Ｂに向かって覆いかぶさることになる。そのような特徴は、ハンガー装置１０を使用の準備ができている向きに予め構成する。
【００４９】
図１２は、中央フラップ区域１２が、中央フラップ区域１２のパネル７４Ａとパネル７４Ｂとの間に埋め込まれたフック要素７４を含む、折り曲げフラップハンガー装置１０の一実施形態である。フック要素７４は、ベースパッド７６と、台座７８と、フック８０とを含む。
【００５０】
図示の実施形態では、ベースパッド７６は平面であり、パネル７４Ａ及び７４Ｂの幅と実質的に同じであるが、それよりもわずかに小さい幅を有する。ただし、ベースパッド７６は、パネル７４Ａ及び７４Ｂの長さよりも短く、したがって、中央フラップ区域１２は、なお、可撓性部分８２を含む。可撓性部分８２は、パネル２６Ａ及び２６Ｂとベースパッド７６との間で接着剤層３４を用いて互いに接着されたパネル７４Ａ及び７４Ｂの一部分を備え、それにより、中央フラップ要素が可撓性を維持することを可能にする。
【００５１】
台座７８は、開口２８を通って延びるように位置し、フラップ２４Ａとフラップ２４Ｂとの間にベースパッド７６を配置するために使用され得る。フック８０は、台座７８から延びてベースパッド７６に向かってカーブするＣ字形部材を備える。フック要素７４のベースパッド７６は、フック８０に加えられた力をパネル２４Ａ及び２４Ｂにわたって拡散する。したがって、パネル２６Ａ及び２６Ｂの縁に力があまり集中せず、剥離フロントの伝搬を抑制する。
【００５２】
図１３は、中央フラップ区域１２が、バックル構造８６を介して中央フラップ区域１２に接続されたフック要素８４を含む、折り曲げフラップハンガー装置１０の一実施形態である。フック要素８４はまた、バー８８と、コネクタ９０Ａ及び９０Ｂと、ベースパッド９２と、台座９４と、フック９６とを含む。
【００５３】
フック要素８４は、折り目２０においてバー８８の周りでパネル２４Ａ及び２４Ｂのルーピングを介してバッキング１６に結合される。コネクタ９０Ａ及び９０Ｂは、バー８８の側面からパネル２４Ａ及び２４Ｂの幅の外側に延びる。コネクタ９０Ａ及び９０Ｂは、ベースパッド９２に接続するために、バー８８から前方に延びる。台座９４はベースパッド９２上に装着され、フック９６は台座９４から延びる。
【００５４】
フック要素８４のバックル構造８６は、多種多様なフックが折り曲げフラップハンガー装置１０とともに使用されることを可能にする。例えば、バー８８は、パネル２４Ａとパネル２４Ｂとの間に埋め込むための共通構成を有することができるが、任意のタイプのベースパッド及びフックが、コネクタ９０Ａ及び９０Ｂを介してバー８８に接続され得る。図１３の構成はまた、バッキング１６の製造を簡略化する。例えば、パネル２４Ａ及び２４Ｂは、バー８８の周りをくるむのに十分に長く、可撓性のために短い追加の長さを提供するだけでよいので、中央フラップ区域１２は短くされ得る。また、中央フラップ区域１２は、フック９６を収容するために折り目２０において開口を含む必要がない。
【００５５】
図１４は、中央フラップ区域１２が、中央フラップ区域１２の外面に接続されたフック要素９８を含む、折り曲げフラップハンガー装置１０の一実施形態である。フック要素９８は、ベースパッド１００と、台座１０２と、フック１０４とを含む。
【００５６】
折り曲げフラップハンガー装置１０は、図１Ａ及び図１２の要素と同じ要素を含むが、開口２８を含まない。中央フラップ区域１２は、望ましいフック要素の取付けのための表面積と、可撓性を可能にするための追加の長さとを提供するのに十分に長い。例えば、パネル２４Ａ及び２４Ｂは、ベースパッド１００を収容するのに十分に長いことがある。しかしながら、パネル２４Ａとパネル２４Ｂとの間にベースパッド１００を埋め込むのではなく、図１２の実施形態において行われたように、ベースパッド１００は、中央フラップ区域１２の外面に装着される。他の実施形態では、任意の好適なフック要素が使用され得る。例えば、図１２中のベースパッド７６、及びフック要素７４の残りは、図１４の中央フラップ区域１２とともに使用され得る。台座１０２はベースパッド１００の中央に位置し、フック１０４は台座１０２からパネル２６Ａに向かって延びる。したがって、ベースパッド１００は、フック１０４からの荷重を台座１０２を通してパネル２４Ａ及び２４Ｂに等しくフロント分散させ、それにより、剥離の近くのパネル２６Ａ及び２６Ｂの縁における荷重を低減することができる。
【００５７】
図１５は、中央フラップ区域１２が、中央フラップ区域１２のパネル２４Ａとパネル２４Ｂとの間に位置するフック要素１０６を含む、折り曲げフラップハンガー装置１０の一実施形態である。フック要素１０６は、基部１０８と、クロスバー１１０と、フック１１２Ａ及び１１２Ｂとを含む。
【００５８】
折り曲げフラップハンガー装置１０は、図１Ａ及び図１２の要素と同じ要素を含むが、開口２８と折り目２０とは含まない。中央フラップ区域１２の遠位端において折り目を形成する代わりに、パネル２４Ａ及び２４Ｂは、基部１０８がパネル２４Ａとパネル２４Ｂとの間に挿入され得るように、互いから分離される。言い換えれば、パネル２４Ａ及び２４Ｂの接着剤層３４は、基部１０８に直接貼り付けられる。基部１０８は、曲がり、ねじれる性能を中央フラップ区域１２に与えるために、折り目２２Ａ及び２２Ｂまでずっとは延びていない。クロスバー１１０は、基部１０８に対して横に延び、フック１１２Ａ及び１１２Ｂを支持する。クロスバー１１０並びにフック１１２Ａ及び１１２Ｂは、基部１０８と共面であり、したがって、打抜き、レーザー切断又はスタンピングなど、切断プロセスを使用してフィルム材料から容易に製造され得る。したがって、図１５の折り曲げフラップハンガー装置１０は、容易に製造され得、図１６Ａに示されているようにロール状に配列され得るか、又は図１７に示されているように平坦なストリップ状に配列され得る。ハンガー装置１０の貼り付け又は配備時に、フック１１２Ａ及び１１２Ｂは、３次元深さを提供するために、基部１０８から離れて折り曲げられ得る。
【００５９】
図１６Ａは、スプール１１８に巻回された折り曲げフラップハンガー装置１１６のロール１１４の側面図である。図１６Ｂは、図１６Ａのスプール１１８から巻き解かれた折り曲げフラップハンガー装置１１６のストリングの平面図である。図１６Ｂに見られるように、折り曲げフラップハンガー装置１１６は、保護シート１２０に取り付けられている。本明細書で説明される折り曲げフラップハンガー装置１０のいずれも、折り曲げフラップハンガー装置１１６を備えることができ、したがって、相応に番号付けされている。折り曲げフラップハンガー装置１１６は、すぐに使える状態で保護シート１２０に取り付けられ得る。例えば、折り曲げフラップハンガー装置１１６は、パネル２４Ａ及び２４Ｂが、接着剤層３４を介して互いにすでに接着されるように予め折り曲げられ得る。パネル２６Ａ及び２６Ｂ上の接着剤層３４は、縁１２１Ａ及び１２１Ｂが互いから離間するように、端から端までの様式で保護シート１２０に取り付けられ得る。保護シート１２０は、スプール１１８に巻回され、中央フラップ部材１２は、横に寝てパネル２６Ｂと接触することができる。図１６Ｃでは、隣接するハンガー装置１１６のパネル２６Ａ及び２６Ｂは、単一のストリップを形成するように、ミシン目又はスリットＳにおいて互いと連続する。大量に供給及び販売するために、長い長さの保護シート１２０と多数の折り曲げフラップハンガー装置１１６とをスプール１１８に巻回する代わりに、少量で供給及び販売するために、短い長さの保護シート１２０と少数の折り曲げフラップハンガー装置１１６とが、ストリップとして提供され得る。
【００６０】
図１７は、ディスペンサーパネル１２６に接合された折り曲げフラップハンガー装置１２４のストリップ１２２の平面図である。折り曲げフラップハンガー装置１２４は、図１５のハンガー装置１０と同様であり、相応に番号付けされている。ただし、折り曲げフラップハンガー装置１２４は、図８Ｂのタブ４６Ａ及び４６Ｂと同様に機能する、タブ１２８Ａ及び１２８Ｂの追加を含む。基部１０８は、隣接するパネル２４Ａとパネル２４Ｂとの間に配置される。フック１１２Ａ及び１１２Ｂは、クロスバー１１０及び基部１０８と共面である。パネル２６Ａ及び２６Ｂは、互いに対して折り曲げられ、接着剤層３４がそれ自体にくっつくことを妨げるために、保護シート３６Ａ及び３６Ｂが、パネル２６Ａとパネル２６Ｂとの間に配置される。
【００６１】
ディスペンサーパネル１２６は、小さい切り離しランナー１３０を介してクロスバー１１０に接続される。したがって、ディスペンサータブ１２６は、フック要素１０６と同じ材料から作製される。したがって、例えば、折り曲げフラップハンガー装置１２４のうちの１つが、ディスペンサーパネル１２６からの分離を行うために、ディスペンサーパネル１２６に対してねじられ得る。
【００６２】
タブ１３２は、隣接するペアのパネル２６Ａとパネル２６Ｂとの間に配置される。したがって、各タブ１３２は、バッキング材の２つの層と、接着剤層の２つの層と、保護シートの２つの層とを備える。タブ１３２は、折り曲げフラップハンガー装置１２４のうちの１つをストリップ１２２から取り外すために消費者によって容易に切り離され得る小さいランナーを介して、パネル２６Ａ及び２６Ｂに接続される。
【００６３】
ストリップ１２２は、折り曲げフラップハンガー装置１２４がストリップ１２２に接続されたとき、平坦な組立体を提供するが、ストリップ１２２の構成は、保護シートが取り外された後に表面への接着を可能にするために、フック１１２Ａ及び１１２Ｂが所望の構成になるように折り曲げられることを可能にし、パネル２６Ａ及び２６Ｂが互いから離れて折り曲げられることを可能にする。
【００６４】
注釈及び例
例１は、第１の端部、第２の端部、第１の端部に隣接して位置する第１の区域、第２の端部に隣接して位置する第２の区域、及び第１の区域と第２の区域との間に位置する中央区域を備える柔軟なバッキングの長尺シートと、柔軟なバッキングのシートの一方の面に配置された接着剤層と、中央区域に接続されたフック要素とを備える可撓性フックハンガーであって、柔軟なバッキングが、微細構造テープを備え、接着剤層が、１つ以上の炭化水素ブロックコポリマーを有する感圧接着剤と、極性フェノール粘着付与剤とを備える、可撓性フックハンガーなどの主題を含むか又は使用することができる。
【００６５】
例２は、例１の主題を含むことができるか、又はそれと随意に組み合わせられ得、中央区域が、中央区域自体に対して中に折り曲げられて中央フラップを形成し、かつ第１の区域及び第２の区域が、中央フラップから外に折り曲げられて接着パネルを形成するように、折り曲げられた柔軟なバッキングの長尺シートのパネルを随意に含む。
【００６６】
例３は、例１又は例２のうちの１つ又はそれらの任意の組み合わせの主題を含むことができるか、又はそれと随意に組み合わせられ得、可撓性フックハンガーが、接着剤層により表面に接着されたとき、少なくとも２つの剥離フロントを与えるように折り曲げられた柔軟なバッキングの長尺シートを随意に含む。
【００６７】
例４は、例１〜３のうちの１つ又はそれらの任意の組み合わせの主題を含むことができるか、又はそれと随意に組み合わせられ得、中央区域の隣接するパネル同士の間に与えられた第３の剥離フロントを随意に含む。
【００６８】
例５は、例１〜４のうちの１つ又はそれらの任意の組み合わせの主題を含むことができるか、又はそれと随意に組み合わせられ得、中央区域の隣接するパネル同士の間に溶着部を含む中央フラップを随意に含む。
【００６９】
例６は、例１〜５のうちの１つ又はそれらの任意の組み合わせの主題を含むことができるか、又はそれと随意に組み合わせられ得、少なくとも１つの保護シートが設けられた第１の区域と第２の区域とを随意に含む。
【００７０】
例７は、例１〜６のうちの１つ又はそれらの任意の組み合わせの主題を含むことができるか、又はそれと随意に組み合わせられ得、スプールに巻回された柔軟なバッキングの長尺シートを随意に含む。
【００７１】
例８は、例１〜７のうちの１つ又はそれらの任意の組み合わせの主題を含むことができるか、又はそれと随意に組み合わせられ得、保護シートが設けられている第１の区域及び第２の区域の各々を随意に含む。
【００７２】
例９は、例１〜８のうちの１つ又はそれらの任意の組み合わせの主題を含むことができるか、又はそれと随意に組み合わせられ得、フック要素を受け入れるためのループを形成する遠位折り目を含む中央フラップを随意に含む。
【００７３】
例１０は、例１〜９のうちの１つ又はそれらの任意の組み合わせの主題を含むことができるか、又はそれと随意に組み合わせられ得、ループ内にあるバーと、バーに接続されたパッドと、タブから延びるフックとを備えるバックル構造を備えるフック要素を随意に含む。
【００７４】
例１１は、例１〜９のうちの１つ又はそれらの任意の組み合わせの主題を含むことができるか、又はそれと随意に組み合わせられ得、フック要素の一部分が中を通って延びる開口を含む遠位折り目を随意に含む。
【００７５】
例１２は、例１〜９及び１１のうちの１つ又はそれらの任意の組み合わせの主題を含むことができるか、又はそれと随意に組み合わせられ得、ループ中に配置された第１のサイド延長部及び第２のサイド延長部と、第１のサイド延長部及び第２のサイド延長部に接続された中央隆起部とを備える湾曲ロッドであって、中央隆起部が開口を通って延びる、湾曲ロッドを備えるフック要素を随意に含む。
【００７６】
例１３は、例１〜９及び１１のうちの１つ又はそれらの任意の組み合わせの主題を含むことができるか、又はそれと随意に組み合わせられ得、中央フラップ内の中央区域のパネル同士の間に配置された平面ベースパッドと、開口を通って平面パッドから延びるフックとを備えるパッド付きフックを備えるフック要素を随意に含む。
【００７７】
例１４は、例１〜１３のうちの１つ又はそれらの任意の組み合わせの主題を含むことができるか、又はそれと随意に組み合わせられ得、柔軟なバッキングのパネル同士の間で平面フック要素を受け入れるように分割された中央区域を随意に含む。
【００７８】
例１５は、例１〜１４のうちの１つ又はそれらの任意の組み合わせの主題を含むことができるか、又はそれと随意に組み合わせられ得、中央区域の第１の面から離れて延びるフックを随意に含み、中央区域の第２の面は、第２の区域に接するように構成される。
【００７９】
例１６は、例１〜１５のうちの１つ又はそれらの任意の組み合わせの主題を含むことができるか、又はそれと随意に組み合わせられ得、柔軟なバッキングの長尺シートの長手方向軸に対して第１の区域よりも長さが短い第２の区域を随意に含む。
【００８０】
例１７は、例１〜１６のうちの１つ又はそれらの任意の組み合わせの主題を含むことができるか、又はそれと随意に組み合わせられ得、接着剤層が、第２の区域に接着するように機能可能であるような窓を含む中央区域の第２の面を随意に含む。
【００８１】
例１８は、例１〜１７のうちの１つ又はそれらの任意の組み合わせの主題を含むことができるか、又はそれと随意に組み合わせられ得、第２の区域に向かって付勢するように中央フラップを誘起するために、中央区域の第１の面に対する予め誘起された応力を含む中央区域の第２の面を随意に含む。
【００８２】
例１９は、例１〜１８のうちの１つ又はそれらの任意の組み合わせの主題を含むことができるか、又はそれと随意に組み合わせられ得、中央フラップよりも硬い接着パネルを随意に含む。
【００８３】
例２０は、例１〜１９のうちの１つ又はそれらの任意の組み合わせの主題を含むことができるか、又はそれと随意に組み合わせられ得、柔軟なバッキングの長尺シートの長手方向軸に対して横に延びるサイドフラップを含む第１の区域と第２の区域とを随意に含む。
【００８４】
例２１は、例１〜２０のうちの１つ又はそれらの任意の組み合わせの主題を含むことができるか、又はそれと随意に組み合わせられ得、直立タブのペアを形成するために、反対側に配置されたタブと一致するように構成された長手方向に延びるタブを含む各サイドフラップを随意に含む。
【００８５】
例２２は、例１〜２０のうちの１つ又はそれらの任意の組み合わせの主題を含むことができるか、又はそれと随意に組み合わせられ得、第２の区域のサイドフラップと重なるように構成された長手方向に延びるタブを含む第１の区域のサイドフラップを随意に含む。
【００８６】
例２３は、例１〜１９のうちの１つ又はそれらの任意の組み合わせの主題を含むことができるか、又はそれと随意に組み合わせられ得、反対側で延びるサイドフラップのペアを含む第１の区域を随意に含み、各サイドフラップは、長手方向に延びるタブを含む。
【００８７】
例２４は、例１〜２３のうちの１つ又はそれらの任意の組み合わせの主題を含むことができるか、又はそれと随意に組み合わせられ得、第１の区域及び中央区域のすべてを覆うが、プルタブを形成するために第２の区域のすべてよりも少なく覆う接着剤層を随意に含む。
【００８８】
例２５は、第１の端部、第２の端部、第１の端部に隣接して位置する第１の区域、第２の端部に隣接して位置する第２の区域、及び第１の区域と第２の区域との間に位置する中央区域を備える柔軟なバッキングの長尺シートと、柔軟なバッキングのシートの一方の面に配置された接着剤層と、中央区域に接続されたフック要素とを備える可撓性フックハンガーであって、第１の区域及び第２の区域のうちの少なくとも１つが、剥離防止部を含む、可撓性フックハンガーなどの主題を含むか又は使用することができる。
【００８９】
例２６は、例２５の主題を含むことができるか、又はそれと随意に組み合わせられ得、柔軟なバッキングの長尺シートの長手方向軸に対して横に第１の区域及び第２の区域から延びるサイドフラップを備える剥離防止部を随意に含む。
【００９０】
例２７は、例２５又は２６のうちの１つ又はそれらの任意の組み合わせの主題を含むことができるか、又はそれと随意に組み合わせられ得、直立タブのペアを形成するために、反対側に配置されたタブと一致するように構成された長手方向に延びるタブを含む各サイドフラップを随意に含む。
【００９１】
例２８は、例２６の主題を含むことができるか、又はそれと随意に組み合わせられ得、第２の区域のサイドフラップと重なるように構成された長手方向に延びるタブを含む第１の区域のサイドフラップを随意に含む。
【００９２】
例２９は、例２５の主題を含むことができるか、又はそれと随意に組み合わせられ得、第１の区域に接続された反対側で延びるサイドフラップのペアと、各サイドフラップに接続された長手方向に延びるタブとを備える剥離防止部を随意に含む。
【００９３】
例３０は、例２５〜２９のうちの１つ又はそれらの任意の組み合わせの主題を含むことができるか、又はそれと随意に組み合わせられ得、接着剤層の一部分がそれによって露出される中央区域中の開口を備える剥離防止部を随意に含む。
【００９４】
例３１は、第１の端部、第２の端部、第１の端部に隣接して位置する第１の区域、第２の端部に隣接して位置する第２の区域、及び第１の区域と第２の区域との間に位置する中央区域を備える柔軟なバッキングの長尺シートと、柔軟なバッキングのシートの一方の面に配置された接着剤層と、中央区域に接続されたフック要素とを備える可撓性フックハンガーであって、第１の区域及び第２の区域が、それぞれ、第１の幅及び第２の幅を有し、中央区域が、第１の幅及び第２の幅のうちの少なくとも１つよりも小さい第３の幅を有する、可撓性フックハンガーなどの主題を含むか又は使用することができる。
【００９５】
例３２は、長尺ストリップ及び剥離防止部を形成する柔軟なバッキングのシートと、柔軟なバッキングのシートの一方の面に塗布された接着剤層と、フック要素とを備える可撓性フックハンガーであって、柔軟なバッキングの長尺ストリップが、フック要素が接続された中央フラップと、中央フラップの両側に接着剤層のための少なくとも２つの剥離フロントを形成する２つの接着区域であって、剥離防止部が、接着区域のうちの少なくとも１つから延びる、２つの接着区域とを形成するように折り曲げられた、可撓性フックハンガーなどの主題を含むか又は使用することができる。
【００９６】
例３３は、例３２の主題を含むことができるか、又はそれと随意に組み合わせられ得、中央フラップを形成する柔軟なバッキングのシートの一部分同士の間で形成された第３の剥離フロントを随意に含む。
【００９７】
例３４は、例３２又は３３のうちの１つ又はそれらの任意の組み合わせの主題を含むことができるか、又はそれと随意に組み合わせられ得、溶着された第３の剥離フロントを随意に含む。
【００９８】
例３５は、例３２〜３４のうちの１つ又はそれらの任意の組み合わせの主題を含むことができるか、又はそれと随意に組み合わせられ得、横サイドフラップを備える剥離防止部を随意に含む。
【００９９】
例３６は、例３２〜３５のうちの１つ又はそれらの任意の組み合わせの主題を含むことができるか、又はそれと随意に組み合わせられ得、横サイドフラップから延びる長手方向タブを更に備える剥離防止部を随意に含む。
【０１００】
これらの非限定的な例の各々は、単独で成り立ち得るか、あるいは様々な並べ替え又は組み合わせにおいて、他の例のうちの１つ又は複数と組み合わせられ得る。
【０１０１】
上記の詳細な説明は、詳細な説明の一部をなす添付の図面の参照を含む。これらの図面は、本発明が実践され得る特定の実施形態を例として示す。これらの実施形態は、本明細書では「例」とも呼ばれる。そのような例は、図示又は説明されたものに加えて、要素を含むことができる。しかしながら、本発明者は、図示又は説明された要素のみが提供される例をも企図する。更に、本発明者はまた、本明細書で図示又は説明された、特定の例（又はそれの１つ又は複数の態様）に関して、あるいは他の例（又はそれらの１つ又は複数の態様）に関してのいずれかで、図示又は説明された要素（又はそれらの１つ又は複数の態様）の任意の組み合わせ又は並べ替えを使用する例を企図する。
【０１０２】
本明細書と、参照により組み込まれるいずれかの文献との間に使用についての矛盾がある場合、本明細書中の使用が優先される。
【０１０３】
本明細書では、「１つの（a）」又は「１つの（an）」という用語は、特許文献ではよくあるように、「少なくとも１つの」あるいは「１つ又は複数の」の他の事例又は使用とは無関係に、１つ又は２つ以上を含むように使用される。本明細書では、「又は（or）」という用語は、別段に規定されていない限り、非排他的なものを指すように使用されるか、あるいは「Ａ又はＢ」が、「ＡであるがＢでない」、「ＢであるがＡでない」並びに「Ａ及びＢ」を含むようなものである。本明細書では、「含む（including）」及び「そこで（in which）」という用語は、「備える／含む（comprising）」及び「そこで（wherein）」というそれぞれの用語の分かりやすい英語の同義語として使用される。また、以下の特許請求の範囲において、「含む（including）」及び「備える／含む（comprising）」という用語はオープンエンドであり、すなわち、特許請求の範囲においてそのような用語の後にリストされているものに加えて要素を含むシステム、装置、物品、組成物、配合物、又はプロセスも、その特許請求の範囲内に入ると考えられる。更に、以下の特許請求の範囲において、「第１の（first）」、「第２の（second）」、及び「第３の（third）」などの用語は、単に表示として使用され、それらの対象に数値的要件を課すことを意図していない。
【０１０４】
上記の説明は例示的であることを意図し、限定するためではない。例えば、上述した例（あるいはそれらの１つ又は複数の態様）は、互いに組み合わせて使用され得る。上記の説明を検討すると、他の実施形態が当業者などによって使用され得る。要約書は、技術開示の本質を読者がすばやく確認することを可能にするようにとの３７Ｃ．Ｆ．Ｒ．§１．７２（ｂ）を順守するために提供される。要約書は、要約書が、請求項の範囲又は意味を解釈又は制限するために使用されないという理解により提出される。また、上記の発明を実施するための形態では、様々な特徴が、本開示を合理化するためにともにグループ化され得る。これは、特許請求されない開示された特徴が、いずれかの請求項にとって必須であるということを意図するものと解釈されるべきではない。そうではなく、発明の主題は、特定の開示された実施形態のすべての特徴に満たない特徴に存在し得る。したがって、以下の特許請求の範囲は、例又は実施形態として、発明を実施するための形態に本明細書によって組み込まれ、各請求項は、別個の実施形態として単独で成り立ち、そのような実施形態が、様々な組み合わせ又は並べ替えにおいて互いに組み合わせられ得ることが企図される。本発明の範囲は、添付の特許請求の範囲を、そのような特許請求の範囲が与えられる等価物の全範囲と併せて参照して決定されるべきである。
【図１Ａ】
2019503261.tif 000003
【図１Ｂ】
2019503261.tif 000004
【図２】
2019503261.tif 000005
【図３】
2019503261.tif 000006
【図４Ａ】
2019503261.tif 000007
【図４Ｂ】
2019503261.tif 000008
【図５Ａ】
2019503261.tif 000009
【図５Ｂ】
2019503261.tif 000010
【図６】
2019503261.tif 000011
【図７Ａ】
2019503261.tif 000012
【図７Ｂ】
2019503261.tif 000013
【図７Ｃ】
2019503261.tif 000014
【図８Ａ】
2019503261.tif 000015
【図８Ｂ】
2019503261.tif 000016
【図９Ａ】
2019503261.tif 000017
【図９Ｂ】
2019503261.tif 000018
【図１０Ａ】
2019503261.tif 000019
【図１０Ｂ】
2019503261.tif 000020
【図１１Ａ】
2019503261.tif 000021
【図１１Ｂ】
2019503261.tif 000022
【図１２】
2019503261.tif 000023
【図１３】
2019503261.tif 000024
【図１４】
2019503261.tif 000025
【図１５】
2019503261.tif 000026
【図１６Ａ】
2019503261.tif 000027
【図１６Ｂ】
2019503261.tif 000028
【図１６Ｃ】
2019503261.tif 000029
【図１７】
2019503261.tif 000030
【国際調査報告】
2019503261.tif 000031
2019503261.tif 000032
2019503261.tif 000033